(57)【要約】【課題】防護シートの取り外しの際に、その防護シートの表側、つまり連結具本体側から掛止突起の位置を切り換えることができ、防護シートの取り外し作業の能率を向上できる連結具を提供する。【解決手段】支柱２１に取り付けられる連結具本体１２の左右両端部に対して、第１及び第２軸部１３，１４を一体に形成し、両軸部１３，１４に形成された貫通溝１５を用いて、ヒンジ部１６ａ，１７ａを介して第１及び第２掛止突起１６，１７を上下方向の傾動可能に連結する。前記第１及び第２掛止突起１６，１７の先端部に対し操作レバー１８を連結し、操作レバー１８の中央上部に操作ノブ１９を連結する。第１及び第２掛止突起１６，１７と操作ノブ１９との間に防護シート２３の鳩目金具２４が第１及び第２軸部１３，１４を利用して装着された状態で、防護シート２３の表側、つまり連結具本体側から操作ノブ１９を操作して、防護シート２３の掛止状態を解除する。【選択図】      図１
2006009322.tif 000002
【特許請求の範囲】
【請求項１】
固定部材に取り付けられる連結具本体に対して、防護部材に設けられた孔部に貫通される軸部を設け、この軸部に対し該軸部の側方に突出して前記防護部材を掛止する掛止位置と、軸部の軸心側に近付いた退入位置との間で位置切り換え可能に掛止部材を設け、前記連結具本体又は軸部の基端部に対し前記掛止部材を位置切り換え操作するための操作手段を設け、前記掛止部材と操作手段との間の軸部に前記防護部材が装着されるようにしたことを特徴とする連結具。  
【請求項２】
請求項１において、前記軸部は複数箇所に設けられ、各軸部にはそれぞれ掛止部材が設けられ、各掛止部材は一つの操作手段によって位置切り換え可能に構成されていることを特徴とする連結具。
【請求項３】
請求項１又は２において、前記連結具本体、軸部及び掛止部材は合成樹脂により一体形成され、掛止部材は弾性変形可能なヒンジ部によって軸部に一体に連結され、前記操作手段は前記掛止部材に一体に連結されていることを特徴とする連結具。
【請求項４】
請求項２又は３において、前記連結具本体には左右一対の軸部が一体に形成され、該本体及び両軸部には平面視Ｕ字状の貫通溝が形成され、該貫通溝の両軸部の先端側の内端面にはそれぞれヒンジ部を介して掛止部材が連結され、両掛止部材は平面視Ｕ字状の操作レバーによって一体に連結され、該操作レバーには操作ノブが設けられていることを特徴とする連結具。
【請求項５】
請求項１〜４のいずれか一項において、前記連結具本体の下面には軽量化のための凹部が形成されていることを特徴とする連結具。
【発明の詳細な説明】
【技術分野】
【０００１】
本発明は、例えば建築現場等において、防護シートや防護ネット等の防護部材を支柱や梁等の固定部材に連結するための連結具に関する。
【背景技術】
【０００２】
防護シートを支柱に連結する方法として、従来、防護シートの端縁に設けられた鳩目金具に連結用の紐を挿通して、支柱に巻き付けるようにしたものが提案されている。この方法は、手作業によって鳩目金具に、紐を通したり、支柱に巻き付けたりする非常に面倒な作業が必要であるため、作業能率が低いばかりでなく、連結上の信頼性も低いという問題がある。
【０００３】
上記問題を解消するため、従来、特許文献１に開示されたものが提案されている。この連結具は、支柱に装着される連結具本体の左右両端部に対し防護シートの端縁に設けられた孔部に貫通される軸部を一体に張り出し形成し、両軸部に前記防護シートを掛止するための掛止突起をヒンジ部を介して一体に連結している。前記掛止突起は、常には軸部の上方に突出した突出位置に保持され、前記軸部を防護シートの孔部に貫通する際に突出位置から軸部の軸心側に近付いた退入位置にヒンジ部を中心に弾性変形させ、掛止突起が前記防護シートの孔部を乗り越えると、前記掛止突起がヒンジ部を中心に上方に復元され、防護シートを所定位置に掛止するようになっている。
【特許文献１】実開平６−７６５５０号公報
【発明の開示】
【発明が解決しようとする課題】
【０００４】
特許文献１に開示された連結具は、防護シートを所定位置に掛止することができる。しかし、連結具の軸部から防護シートを取り外す際に、防護シートの裏側、つまり前記掛止突起側から該掛止突起を作業者の手によって突出位置から退入位置へ移動させる必要があるので、防護シートの表側、つまり連結具本体側において、掛止突起を突出位置から退入位置へ切り換えることができないという問題があった。このため、防護シートの取り外し作業が非常に面倒で、作業能率を向上することができないという問題があった。
【０００５】
本発明は上記従来の技術に存する問題点を解消して、防護部材の取り外しの際に、その防護部材の表側、つまり連結具本体側において掛止部材の位置を切り換えることができ、防護部材の取り外し作業の能率を向上することができる連結具を提供することにある。
【課題を解決するための手段】
【０００６】
上記問題点を解決するために、請求項１に記載の発明は、固定部材に取り付けられる連結具本体に対して、防護部材に設けられた孔部に貫通される軸部を設け、この軸部に対し該軸部の側方に突出して前記防護部材を掛止する掛止位置と、軸部の軸心側に近付いた退入位置との間で位置切り換え可能に掛止部材を設け、前記連結具本体又は軸部の基端部に対し前記掛止部材を位置切り換え操作するための操作手段を設け、前記掛止部材と操作手段との間の軸部に前記防護部材が装着されるようにしたことを要旨とする。
【０００７】
請求項２に記載の発明は、請求項１において、前記軸部は複数箇所に設けられ、各軸部にはそれぞれ掛止部材が設けられ、各掛止部材は一つの操作手段によって位置切り換え可能に構成されていることを要旨とする。
【０００８】
請求項３に記載の発明は、請求項１又は２において、前記連結具本体、軸部及び掛止部材は合成樹脂により一体形成され、掛止部材は弾性変形可能なヒンジ部によって軸部に一体に連結され、前記操作手段は前記掛止部材に一体に連結されていることを要旨とする。
【０００９】
請求項４に記載の発明は、請求項２又は３において、前記連結具本体には左右一対の軸部が一体に形成され、該本体及び両軸部には平面視Ｕ字状の貫通溝が形成され、該貫通溝の両軸部の先端側の内端面にはそれぞれヒンジ部を介して掛止部材が連結され、両掛止部材は平面視Ｕ字状の操作レバーによって一体に連結され、該操作レバーには操作ノブが設けられていることを要旨とする。
【００１０】
請求項５に記載の発明は、請求項１〜４のいずれか一項において、前記連結具本体の下面には軽量化のための凹部が形成されていることを要旨とする。
【発明の効果】
【００１１】
本発明によれば、連結具本体に設けた軸部の基端部又は本体に対して、前記掛止部材の位置を切り換えるための操作手段を、防護部材の表側、つまり連結具本体側に設けたので、連結具本体側において操作手段を操作することにより、掛止部材の位置を容易に切り換えることができる。このため、防護部材の取り外し作業の能率を向上することができる。
【発明を実施するための最良の形態】
【００１２】
以下、本発明を具体化した連結具の一実施形態を図面に従って説明する。
図１は、連結具１１を上から見た斜視図、図２は連結具１１を下から見た斜視図である。図３は連結具１１の正面図、図４は図３のＡ−Ａ線断面図、図５は図３のＢ−Ｂ線断面図である。この連結具１１は、例えば、ポリプロピレン等の合成樹脂により一体に型成形されている。連結具本体１２の後端面には、図７に示すように固定部材としての支柱２１の外周面に沿うように係合される係合凹部１２ａが形成され、この係合凹部１２ａの中央部下縁には、図２及び図３，４に示すようにブラケット１２ｂが一体に下方に形成されている。このブラケット１２ｂの下端部には、係止爪１２ｃが一体に支柱２１と反対方向及び上方向に向けて折り曲げ形成されている。このブラケット１２ｂ及び係止爪１２ｃを用いて、図６及び図７に示すように連結具本体１２が紐２２によって前記支柱２１に装着されるようになっている。
【００１３】
前記連結具本体１２の左右両端部には、第１及び第２軸部１３，１４が互いに平行に、かつ一体に突出形成されている。前記連結具本体１２と第１及び第２軸部１３，１４には、上下方向に貫通する平面視Ｕ字状の貫通溝１５が形成されている。前記貫通溝１５の第１軸部１３の先端面寄り内端面には、第１ヒンジ部１６ａを介して、掛止部材としての第１掛止突起１６が上下方向の往復傾動可能に一体に連結されている。同様に、前記貫通溝１５の前記第２軸部１４の先端面寄り内端面には、第２ヒンジ部１７ａを介して掛止部材としての第２掛止突起１７が上下方向の往復傾動可能に一体に連結されている。前記両第１及び第２掛止突起１６，１７には第１及び第２軸部１３，１４の先端から遠ざかるほど高くなる傾斜面１６ｂ，１７ｂが形成され、第１及び第２掛止突起１６，１７の先端には防護シート２３に設けた鳩目金具２４を掛止可能な掛止面１６ｃ，１７ｃが垂直に形成されている。
【００１４】
前記第１及び第２掛止突起１６，１７の先端面には、平面視Ｕ字状の操作レバー１８が一体に連結され、該操作レバー１８は常には貫通溝１５の内部に収容されている。前記操作レバー１８の中央部の上面には、操作ノブ１９が図４に示すように貫通溝１５から上方に突出するように一体に連結されている。
【００１５】
この実施形態では前記操作レバー１８と操作ノブ１９によって、前記第１及び第２掛止突起１６，１７を第１及び第２軸部１３，１４の上面から突出する突出位置から貫通溝１５内に没入する退入位置へ切り換えるための操作手段が構成されている。
【００１６】
前記連結具本体１２の基端部には図４に示すように軽量化と、ブラケット１２ｂ及び係止爪１２ｃの型成形時に成形型（図示せず）を挿入するための貫通溝１２ｄが形成され、左右両側部には図２に示すように軽量化のための凹部１２ｅが形成され、前記本体１２の第１及び第２軸部１３，１４側の下面にも図４，５に示すように軽量化のための凹部１２ｆが形成されている。
【００１７】
次に、前記のように構成された連結具１１を用いて建築現場等に装設された支柱２１に、防護部材としての防護シート２３を装着するための方法について説明する。
最初に、図６に示すように、支柱２１に対し連結具１１の本体１２の係合凹部１２ａを支柱２１の外周面に接合し、前記ブラケット１２ｂを紐２２によって支柱２１に取り付ける。次に、防護シート２３に設けられた鳩目金具２４を図７に示すように第１軸部１３の先端部から第１軸部１３に嵌合する。このとき、鳩目金具２４によって、第１掛止突起１６の傾斜面１６ｂが下方に押圧されるので、第１掛止突起１６が、そのヒンジ部１６ａを中心に下方に回動される。そして、鳩目金具２４が第１掛止突起１６を乗り越えると、第１掛止突起１６がヒンジ部１６ａを中心に上方向に回動されて元の位置に復元され、鳩目金具２４が第１掛止突起１６の掛止面１６ｃによって掛止される。
【００１８】
上記防護シート２３及び鳩目金具２４の装着動作と同様に、他方の第２軸部１４に対して、別の防護シート２３の鳩目金具２４が装着される。
建築現場において、建物の施工作業が終わり、防護シート２３，２３を連結具１１の第１及び第２軸部１３，１４から取り外す場合には、図６において操作ノブ１９の上端部を指によって下方に押圧する。すると、図８に示すように前記第１及び第２掛止突起１６，１７及び操作レバー１８、操作ノブ１９が、前記ヒンジ部１６ａ，１７ａを中心に時計回り方向に回動され、前記第１及び第２掛止突起１６，１７が、前記第１及び第２軸部１３，１４に形成された貫通溝１５の内部に没入する。このため、第１及び第２掛止突起１６，１７による防護シート２３，２３の鳩目金具２４，２４の掛止状態が解除される。この状態で、防護シート２３を図８において前方に移動すると、防護シート２３が二点鎖線で示すように第１及び第２軸部１３，１４から離隔される。なお、前記操作ノブ１９の押圧を解除すると、第１及び第２掛止突起１６，１７は、図６に示す元の位置に復元される。
【００１９】
上記実施形態の連結具によれば、以下のような効果を得ることができる。
（１）上記実施形態では、前記連結具本体１２の左右両側部に第１及び第２軸部１３，１４を一体に突出形成した。又、第１及び第２軸部１３，１４の内部に第１及び第２掛止突起１６，１７をヒンジ部１６ａ，１７ａを介して上下方向の往復傾動可能に連結し、前記第１及び第２掛止突起１６，１７を貫通溝１５内において操作レバー１８によって連結し、該操作レバー１８の上面に操作ノブ１９を立設した。このため、前記第１及び第２軸部１３，１４に防護シート２３の鳩目金具２４を掛止した状態で、前記防護シート２３の表側、つまり連結具本体１２側から操作ノブ１９を操作することによって、前記第１及び第２掛止突起１６，１７の掛止状態を解除することができる。従って、防護シート２３の連結具１１からの取り外し作業を容易に行うことができ、その作業能率を向上することができる。
【００２０】
（２）上記実施形態では、前記連結具１１の第１，第２軸部１３，１４、第１，第２掛止突起１６，１７、操作レバー１８及び操作ノブ１９等を合成樹脂材により一体に型成形するようにしたので、連結具１１の製造を容易に、かつ能率的に行うことができる。
【００２１】
（３）上記実施形態では、連結具本体１２に対して左右一対の第１，第２軸部１３，１４及び第１，第２掛止突起１６，１７を設けたので、隣接する防護シート２３，２３の鳩目金具２４，２４を一つの連結具１１によって掛止することができる。
【００２２】
（４）上記実施形態では、第１，第２掛止突起１６，１７に対して、共通の操作レバー１８を連結し、この操作レバー１８に操作ノブ１９を装着したので、第１，第２掛止突起１６，１７を同時に位置切り換えすることができ、防護シート２３の取り外し作業を能率的に行うことができる。
【００２３】
（５）上記実施形態では、連結具本体１２に対し係合凹部１２ａを形成すると共に、連結具本体１２の下部にブラケット１２ｂ及び係止爪１２ｃを形成したので、支柱２１に対し本体１２を紐２２によって容易に装着することができる。
【００２４】
なお、上記実施形態は以下のように変更してもよい。
○図示しないが、前記本体１２に対して、支柱２１を本体１２との間でクランプするためのクランプ部材を連結するようにしてもよい。
【００２５】
○第１，第２軸部１３，１４及び第１，第２掛止突起１６，１７を一つのみにしてもよい。
○前記第１，第２掛止突起１６，１７をそれぞれ位置切り換え動作するための操作レバー１８及び操作ノブ１９を別々に設けてもよい。
【００２６】
○前記第１，第２軸部１３，１４に対して、別体で構成された第１，第２掛止突起１６，１７を付勢部材を介して取り付けるようにしてもよい。
○掛止部材として、掛止突起以外に掛止爪、掛止ピン等を用いてもよい。
【００２７】
○操作手段として、操作レバー１８及び操作ノブ１９以外にプッシュプルロッド等を用いてもよい。
○掛止突起を有する前記軸部を三箇所或いは四箇所以上に設けてもよい。
【００２８】
○固定部材として、支柱以外に水平梁、傾斜梁等がある。  
○防護部材として、防護シート以外に、防護ネット或いは防護柵等がある。
【図面の簡単な説明】
【００２９】
【図１】この発明の連結具を示す上から見た斜視図。
【図２】連結具を下方から見た斜視図。
【図３】連結具の正面図。
【図４】図３のＡ−Ａ線断面図。
【図５】図３のＢ−Ｂ線断面図
【図６】支柱に連結具を装着した状態を示す側面図。
【図７】支柱に連結具を装着した状態を示す平面図。
【図８】防護シートの掛止解除動作を示す側面図。
【符号の説明】
【００３０】
１２…連結具本体、１５…貫通溝、１２ｅ，１２ｆ…凹部、１６ａ，１７ａ…ヒンジ部、１８…操作レバー、１９…操作ノブ、２１…固定部材としての支柱、２３…防護部材としての防護シート。
【図１】
2006009322.tif 000003
【図２】
2006009322.tif 000004
【図３】
2006009322.tif 000005
【図４】
2006009322.tif 000006
【図５】
2006009322.tif 000007
【図６】
2006009322.tif 000008
【図７】
2006009322.tif 000009
【図８】
2006009322.tif 000010